(57)【要約】【課題】  スピーカーの底部に板状部を設けてスピーカーをブックエンドとして使用でき、スピーカーの板状部をテレビジョン本体の底部のスリットに差し込んで収納できて外観を良好に保て、スピーカーの底部の板状部でブック類を安定した状態で立てられる。【解決手段】  ブックエンド兼用スピーカー２の底部に板状部２ａが突出形成され、テレビジョン本体１の側面の底部に板状部を差し込むスリット１ａが形成され、テレビジョン本体の側面に係止部３が突出形成され、ブックエンド兼用スピーカーの側面壁には係止部が係入係止される係止穴２ｄが形成され、テレビジョン本体の裏面からブックエンド兼用スピーカーの裏面間に配線されたワイヤー４はテレビジョン本体のフック５に吊り下げ可能とされ、ワイヤーの端末近傍部分に、テレビジョン本体の裏面壁と前記ブックエンド兼用スピーカーの裏面壁に係止される断面略Ｈ時形の係止部材６が設けられている。【選択図】  図１
2008182505.tif 000002
【特許請求の範囲】
【請求項１】
テレビジョン本体の側部にブックエンド兼用スピーカーを取付け取外し可能に配置したブックエンド兼用スピーカーを有するテレビジョン受像機であって、前記ブックエンド兼用スピーカーの底部に板状部が側方に向けて突出形成され、前記テレビジョン本体の側面の底部には、前記板状部を差し込み可能なスリットが形成され、前記テレビジョン本体の側面に軸状部の先端に円形部が設けられた係止部が突出形成され、前記ブックエンド兼用スピーカーの側面壁には前記テレビジョン本体の側面の係止部が係入係止される円形穴とこの円形穴に連設された細穴とからなる係止穴が形成されて前記ブックエンド兼用スピーカーが前記テレビジョン本体に対して着脱自在に取付けられるように構成され、前記テレビジョン本体の裏面から前記ブックエンド兼用スピーカーの裏面間にワイヤーが配線され、このワイヤーは前記テレビジョン本体の裏面に突出された略Ｌ字形のフックに吊り下げ可能とされ、前記ワイヤーの端末近傍部分に、前記テレビジョン本体の裏面壁と前記ブックエンド兼用スピーカーの裏面壁に両側の鍔部が係止される引っ張り防止用の断面略Ｈ時形の係止部材が設けられていることを特徴とするブックエンド兼用スピーカーを有するテレビジョン受像機。
【請求項２】
テレビジョン本体の側部にブックエンド兼用スピーカーを取付け取外し可能に配置したブックエンド兼用スピーカーを有するテレビジョン受像機であって、前記ブックエンド兼用スピーカーの底部に板状部が側方に向けて突出形成され、前記テレビジョン本体の側面の底部には、前記板状部を差し込み可能なスリットが形成されていることを特徴とするブックエンド兼用スピーカーを有するテレビジョン受像機。
【請求項３】
前記テレビジョン本体の裏面から前記ブックエンド兼用スピーカーの裏面間にワイヤーが配線され、前記ワイヤーの端末近傍部分に、前記テレビジョン本体の裏面壁と前記ブックエンド兼用スピーカーの裏面壁に両側の鍔部が係止される引っ張り防止用の断面略Ｈ時形の係止部材が設けられている請求項２に記載のブックエンド兼用スピーカーを有するテレビジョン受像機。
【請求項４】
前記テレビジョン本体の裏面側に、ワイヤーを吊り下げ可能な略Ｌ字形のフックが突出されている請求項２又は３に記載のブックエンド兼用スピーカーを有するテレビジョン受像機。
【発明の詳細な説明】
【技術分野】
【０００１】
本発明は、テレビジョン本体の側部にブックエンド兼用スピーカーを取付け取外し可能に配置したブックエンド兼用スピーカーを有するテレビジョン受像機に関するものである。
【背景技術】
【０００２】
従来、テレビジョン本体の側部に配置されるスピーカーをブックエンド兼用にするものは市場に提供されていなかった。
【０００３】
第１の従来技術を図３に示す。この従来の音響装置は、図３に示すように、音響装置の筐体１１０が、縦幅が横幅より長い形状のブックサイズの形状であり、その内部に低音や重低音の発生を担当するスピーカー部、ＣＤのような音楽メディアを再生するディスク再生部、パワーアンプ部、電源部などを内蔵している。つまみ１１１の中心部には中空部１１２が形成されており、低音や重低音は、この中空部１１２から放音される。中高音をステレオ再生する中高音スピーカー部１１３、１１４は、筐体１１０の上部に取付けられている。筐体１１０の前面には、ＣＤの挿入口や、選曲ボタン、曲番号などの表示部が設けられるようになっている。（例えば、特許文献１参照）。
【０００４】
ところが、これにおいては、音響装置の筐体１１０をブックエンドとして使用することが可能なものであって、スピーカー部１１３、１１４をブックエンドとして使用するものではなかった。また、筐体１１０の底面に底板を設けるようにすることが開示されているが、接続する機器の側面の底部に底板が入り込むスリットが設けられることについては記載されていないものであった。
【０００５】
第２の従来技術を図４、図５に示す。この従来のテレビジョン受像機用スピーカーは、図４、図５に示すように、テレビジョン受像機本体２０１から着脱自在に構成された筐体にスピーカーユニットを配置してなるテレビジョン受像機用スピーカー２１０Ｌ、２１０Ｒにおいて、筐体の異なった２面２１０ａ、２１０ｂのそれぞれに、比較的広域音の再生を行う高音用スピーカーユニット２１１Ｌ、２１２Ｌ、又は２１１Ｒ、２１２Ｒを配置し、高音用スピーカーユニットが配置された２面の内の一方の面２１０ａに比較的低域音の再生を行う低音用スピーカーユニット２１３Ｌ、２１３Ｒを配置した。（例えば、特許文献２参照）。
【０００６】
ところが、これにおいては、テレビジョン受像機用スピーカー２１０Ｌ、２１０Ｒをブックエンドとして使用することについては記載されていなかった。また、テレビジョン受像機用スピーカー２１０Ｌ、２１０Ｒの底部に底板を設け、テレビジョン受像機本体２０１の底部にこの底板が入り込むスリットが形成されているものではなかった。
【０００７】
第３の従来技術を図６に示す。この従来の音響装置は、図６に示すように、音響装置本体３５０の側面部３５１に鍵穴状の嵌合孔３５２、３５２を設け、一方スピーカーボックス３５３の側面部３５４には、ピン３５５、３５５を植立し、スピーカーボックス３５３のピン３５５、３５５を鍵穴状の嵌合孔３５２、３５２に挿入するようにしていた。（例えば、特許文献３参照）。
【０００８】
ところが、これにおいては、スピーカーボックス３５３をブックエンドとして使用するものではなかった。
【０００９】
第４の従来技術を図７に示す。着脱式スピーカーボックス４０２を有するテレビジョン受像機において、受像機のキャビネット側には中心部に雌ネジ穴を有する凸部（図示略）を設け、スピーカーボックス４０２側には取付板４０２ａを設けるとともに取付板４０２ａの周辺部には端部が開口したＵ字状の切欠部４０５、４０５を形成し切欠部４０５、４０５の最奥部周囲のキャビネット接触面側に凹部（図示略）を形成してなり、雌ネジ穴に手ネジ４０３、４０３を軽く締付けておき、取付板４０２ａの切欠部４０５、４０５を手ネジ４０３、４０３へ通し、キャビネット４０１の凸部と取付板４０２ａの凹部とを嵌め合せ、この状態で手ネジ４０３、４０３を締付け、スピーカーボックス４０２をキャビネット４０１に固定する。（例えば、特許文献４参照）。
【００１０】
ところが、これにおいては、スピーカーボックス４０２をブックエンドとして使用するものではなかった。
【特許文献１】特開２００４−１１２２５８号公報
【特許文献２】特開平６−１０５２５７号公報
【特許文献３】実開昭６０−５２７８９号公報
【特許文献４】実開昭６４−１１０８９号公報
【発明の開示】
【発明が解決しようとする課題】
【００１１】
本発明は、上記従来の実情に鑑みてなされたものであって、スピーカーにテレビジョン本体から分離できる構造を付加すると共にスピーカーの側面の底部に板状部を設けることで、スピーカーをブックエンドとして使用可能とすることができて、インテリアとしての性格を持たせることができ、ブックエンドとして使用するスピーカーの側面の底部の板状部をテレビジョン本体の側面の底部のスリットに差し込んで収納することができて外観を良好に保つことができ、また、スピーカーの底部の板状部によって、ブック類を安定した状態で立てておくことができるブックエンド兼用スピーカーを有するテレビジョン受像機を提供することを目的としている。
【課題を解決するための手段】
【００１２】
本発明は、上記課題を解決するために提案されたものであって、請求項１に記載の発明は、テレビジョン本体の側部にブックエンド兼用スピーカーを取付け取外し可能に配置したブックエンド兼用スピーカーを有するテレビジョン受像機であって、前記ブックエンド兼用スピーカーの底部に板状部が側方に向けて突出形成され、前記テレビジョン本体の側面の底部には、前記板状部を差し込み可能なスリットが形成され、前記テレビジョン本体の側面に軸状部の先端に円形部が設けられた係止部が突出形成され、前記ブックエンド兼用スピーカーの側面壁には前記テレビジョン本体の側面の係止部が係入係止される円形穴とこの円形穴に連設された細穴とからなる係止穴が形成されて前記ブックエンド兼用スピーカーが前記テレビジョン本体に対して着脱自在に取付けられるように構成され、前記テレビジョン本体の裏面から前記ブックエンド兼用スピーカーの裏面間にワイヤーが配線され、このワイヤーは前記テレビジョン本体の裏面に突出された略Ｌ字形のフックに吊り下げ可能とされ、前記ワイヤーの端末近傍部分に、前記テレビジョン本体の裏面壁と前記ブックエンド兼用スピーカーの裏面壁に両側の鍔部が係止される引っ張り防止用の断面略Ｈ時形の係止部材が設けられていることを特徴としている。
【００１３】
請求項２に記載の発明は、テレビジョン本体の側部にブックエンド兼用スピーカーを取付け取外し可能に配置したブックエンド兼用スピーカーを有するテレビジョン受像機であって、前記ブックエンド兼用スピーカーの底部に板状部が側方に向けて突出形成され、前記テレビジョン本体の側面の底部には、前記板状部を差し込み可能なスリットが形成されていることを特徴としている。
【００１４】
請求項３に記載の発明は、請求項２に記載の発明において、前記テレビジョン本体の裏面から前記ブックエンド兼用スピーカーの裏面間にワイヤーが配線され、前記ワイヤーの端末近傍部分に、前記テレビジョン本体の裏面壁と前記ブックエンド兼用スピーカーの裏面壁に両側の鍔部が係止される引っ張り防止用の断面略Ｈ時形の係止部材が設けられている。
【００１５】
請求項４に記載の発明は、請求項２又は３に記載の発明において、前記テレビジョン本体の裏面側に、ワイヤーを吊り下げ可能な略Ｌ字形のフックが突出されている。
【発明の効果】
【００１６】
請求項１に記載の発明によれば、ブックエンド兼用スピーカーの底部に板状部が側方に向けて突出形成されているから、このブックエンド兼用スピーカーをブックエンドとして使用する場合には、板状部にブック類が置かれることにより、ブック類を安定した状態で倒れないように保持することができる。更に、テレビジョン本体の側面の底部に設けられたスリットにブックエンド兼用スピーカーの板状部を差し込むことができるから、板状部をスリットに差し込んで収納することができて外観を良好に保つことができる。
【００１７】
また、テレビジョン本体の側面の係止部の円形部をブックエンド兼用スピーカーの側面壁の係止穴の円形穴に挿入し、係止部の軸状部を係止穴の細穴にスライドして入れ込むことにより円形部が係止して、ブックエンド兼用スピーカーをテレビジョン本体に外れないように取り付けることができる。更に、テレビジョン本体の裏面の略Ｌ字形のフックにワイヤーを吊り下げておくことができるので、テレビジョン本体からブックエンド兼用スピーカーに配線されたワイヤーが長くてもこのワイヤーを縺れることなく納めておくことができる。また、ワイヤーの端末近傍部分に、テレビジョン本体の裏面壁とブックエンド兼用スピーカーの裏面壁に両側の鍔部が係止される引っ張り防止用の断面略Ｈ字形の係止部材が設けられているから、ワイヤーが引っ張られてもこのワイヤーがテレビジョン本体とブックエンド兼用スピーカーから外れることを防止することができる。
【００１８】
請求項２に記載の発明によれば、ブックエンド兼用スピーカーの底部に板状部が側方に向けて突出形成されているから、このブックエンド兼用スピーカーをブックエンドとして使用する場合には、板状部にブック類が置かれることにより、ブック類を安定した状態で倒れないように保持することができる。更に、テレビジョン本体の側面の底部に設けられたスリットにブックエンドスピーカーの板状部を差し込むことができるから、板状部をスリットに差し込んで収納することができて外観を良好に保つことができる。
【００１９】
請求項３に記載の発明によれば、ワイヤーの端末近傍部分が、テレビジョン本体の裏面壁とブックエンド兼用スピーカーの裏面壁に両側の鍔部が係止される引っ張り防止用の断面略Ｈ字形の係止部材が設けられているから、ワイヤーが引っ張られてもこのワイヤーがテレビジョン本体とブックエンド兼用スピーカーから外れることを防止することができる。
【００２０】
請求項４に記載の発明によれば、テレビジョン本体の裏面の略Ｌ字形のフックにワイヤーを吊り下げておくことができるので、テレビジョン本体からブックエンド兼用スピーカーに配線されたワイヤーが長くてもこのワイヤーを縺れることなく納めておくことができる。
【発明を実施するための最良の形態】
【００２１】
以下、本発明に係るブックエンド兼用スピーカーを有するテレビジョン受像機の実施の形態について、図を参照しつつ説明する。
【００２２】
図１は本発明の実施形態のブックエンド兼用スピーカーを有するテレビジョン受像機を示し、（ａ）はその裏面側から見た斜視図、（ｂ）はそのテレビジョン本体にブックエンド兼用スピーカーを取り付ける状態を示す部分斜視図、（ｃ）はそのワイヤーの引っ張り防止用の係止部材をテレビジョン本体とブックエンド兼用スピーカーの裏面壁に取り付けた状態を示す部分断面図、図２（ａ）はブックエンド兼用スピーカーの板状部をテレビジョン本体のスリットに差し込む状態を示す部分縦断面図、（ｂ）はテレビジョン本体の側面壁に設けた係止部をブックエンド兼用スピーカーの係止穴に係入係止した状態の部分側面図である。
【００２３】
本実施形態のブックエンド兼用スピーカーを有するテレビジョン受像機は、図１（ａ）に示すように、テレビジョン本体１の両側にブックエンド兼用スピーカー２が配置されている。更に、図１（ｂ）、図２（ａ）に示すように、ブックエンド兼用スピーカー２の底部に板状部２ａが突出形成され、テレビジョン本体１の側面の底部に、板状部２ａを差し込み可能なスリット１ａが形成されている。また、板状部２ａは、後述するテレビジョン本体１の側面の係止部３の軸状部３ａがブックエンド兼用スピーカー２の細穴２ｃを移動して係止部３の円形部３ｂが係止する移動幅分の切り取り部分が設けられ、その幅分細く形成されている。
【００２４】
また、テレビジョン本体１の側面に、軸状部３ａの先端に円形部３ｂが設けられた係止部３が突出形成されている。一方、ブックエンド兼用スピーカー２の側面壁に、テレビジョン本体１の係止部３が係入係止される円形穴２ｂとこの円形穴２ｂに連設された細穴２ｃとからなる係止穴２ｄが形成されており、ブックエンドスピーカー２がテレビジョン本体１に対して着脱自在に取り付けられるようになっている。
【００２５】
更に、テレビジョン本体１の裏面からブックエンド兼用スピーカー２の裏面間にワイヤー４が配線され、このワイヤー４はテレビジョン本体１の裏面に突出された略Ｌ字形のフック５に吊り下げられるようになっている。更に、図１（ｃ）に示すように、テレビジョン本体１の裏面壁の穴部１ｂとブックエンド兼用スピーカー２の裏面壁の穴部２ｅとに、両側の鍔部６ａ、６ａが係止される引っ張り防止用の断面略Ｈ字形の係止部材６がワイヤー４の端末近傍箇所に設けられている。
【００２６】
従って、本実施形態によれば、ブックエンド兼用スピーカー２の底部に板状部２ａが側方に向けて突出形成されているから、このブックエンド兼用スピーカー２をブックエンドとして使用する場合には、板状部２ａにブック類が置かれることにより、ブック類を安定した状態で倒れないように保持することができる。更に、テレビジョン本体１の側面の底部に設けられたスリット１ａにブックエンド兼用スピーカー２の板状部２ａを差し込むことができるから、板状部２ａをスリット１ａに差し込んで収納することができて外観を良好に保つことができる。
【００２７】
また、図２（ｂ）に示すように、テレビジョン本体１の側面の係止部３の円形部３ｂをブックエンド兼用スピーカー２の側面壁の係止穴２ｄの円形穴２ｂに挿入し、係止部３の軸状部３ａを係止穴２ｄの細穴２ｃにスライドして入れ込むことにより円形部３ｂが係止して、ブックエンド兼用スピーカー２をテレビジョン本体１に外れないように取り付けることができる。更に、図１（ｂ）に示すように、テレビジョン本体１の裏面の略Ｌ字形のフック５にワイヤー４を吊り下げておくことができるので、テレビジョン本体１からブックエンド兼用スピーカー２に配線されたワイヤー４が長くてもこのワイヤー４を縺れることなく納めておくことができる。
【００２８】
更に、図１（ｃ）に示すように、ワイヤー４の端末近傍部分に、テレビジョン本体１の裏面壁とブックエンド兼用スピーカー２の裏面壁に両側の鍔部６ａ、６ａが係止される引っ張り防止用の断面略Ｈ字形の係止部材６が設けられているから、ワイヤー４が引っ張られてもこのワイヤー４がテレビジョン本体１とブックエンド兼用スピーカー２から外れることを防止することができる。
【図面の簡単な説明】
【００２９】
【図１】本発明の実施形態のブックエンド兼用スピーカーを有するテレビジョン受像機を示し、（ａ）はその裏面側から見た斜視図、（ｂ）はそのテレビジョン本体にブックエンド兼用スピーカーを取り付ける状態を示す部分斜視図、（ｃ）はそのワイヤーの引っ張り防止用の係止部材をテレビジョン本体とブックエンド兼用スピーカーの裏面壁に取り付けた状態を示す部分断面図である。
【図２】（ａ）はブックエンド兼用スピーカーの板状部をテレビジョン本体のスリットに差し込む状態を示す部分縦断面図、（ｂ）はテレビジョン本体の側面壁に設けた係止部をブックエンド兼用スピーカーの係止穴に係入係止した状態の部分側面図である。
【図３】従来の音響装置の斜視図である。
【図４】従来のテレビジョン受像機用スピーカーにおけるスピーカーをテレビジョン本体の両側面に取り付けた状態の斜視図である。
【図５】図４の状態から両側のスピーカーを取り外した状態の斜視図である。
【図６】従来の別例の音響装置におけるスピーカーボックスの取付装置を示す斜視図である。
【図７】従来のスピーカーボックス取付機構におけるスピーカーをテレビ本体キャビネットに取り付けた状態の裏面側から見た斜視図である。
【符号の説明】
【００３０】
１        テレビジョン本体
１ａ      スリット
１ｂ      穴部
２        ブックエンド兼用スピーカー
２ａ      板状部
２ｂ      円形穴
２ｃ      細穴
２ｄ      係止穴
２ｅ      穴部
３        係止部
３ａ      軸状部
３ｂ      円形部
４        ワイヤー
５        フック
６        係止部材
６ａ      鍔部
【図１】
2008182505.tif 000003
【図２】
2008182505.tif 000004
【図３】
2008182505.tif 000005
【図４】
2008182505.tif 000006
【図５】
2008182505.tif 000007
【図６】
2008182505.tif 000008
【図７】
2008182505.tif 000009